(57)【要約】【課題】その製造コストが安価で簡易な構成でありながら、流体を正確に吐出可能な流体吐出ポンプを提供すること。【解決手段】流体吐出ポンプは、樹脂製の蛇腹部材６と、流体流入用の開口部が形成された弁座部材と、環状の支持部と支持部と複数の連結部を介して接続された弁部とを有する弁部材とから構成された樹脂製の流入弁機構４と、流体流出用の開口部が形成された弁座部材と、環状の支持部と支持部と複数の連結部を介して接続された弁部とを有する弁部材とから構成された樹脂製の流出弁機構５と、ノズルヘッド２が押圧された際に流出弁機構５における弁部を弁座部材から離隔する方向に移動させる第１の押圧部１１と、ノズルヘッド２が押圧された際に、蛇腹部材６を拡張姿勢から縮小姿勢となるように押圧する第２の押圧部１２とを備える。【選択図】　　　　図２
2004051201.tif 000002
【特許請求の範囲】
【請求項１】
流体貯留部の上方に配設されたノズルヘッドを押圧することにより、前記流体貯留部内に貯留された流体を前記ノズルヘッドから吐出させるための流体吐出ポンプにおいて、
蛇腹状の形状を有し、その内部に比較的大量の流体を収納する拡張姿勢と、その内部に比較的少量の流体を収納する縮小姿勢との間で変形可能な樹脂製の蛇腹部材と、
流体流入用の開口部が形成された弁座部材と、環状の支持部と前記支持部と複数の連結部を介して接続された弁部とを有する弁部材とから構成され、前記蛇腹部材の下端に連結された樹脂製の流入弁機構と、
流体流出用の開口部が形成された弁座部材と、環状の支持部と前記支持部と複数の連結部を介して接続された弁部とを有する弁部材とから構成され、前記蛇腹部材の上端に連結された樹脂製の流出弁機構と、
前記ノズルヘッドに連結され、前記ノズルヘッドが押圧された際に、前記流出弁機構における弁部を弁座部材から離隔する方向に移動させる第１の押圧部と、
前記ノズルヘッドに連結され、前記ノズルヘッドが押圧された際に、前記第１の押圧部が前記流出弁機構における弁部を弁座部材から離隔する方向に移動させた後に、前記蛇腹部材を、前記拡張姿勢から前記縮小姿勢となるように押圧する第２の押圧部と、
を備えたことを特徴とする流体吐出ポンプ。
【請求項２】
請求項１に記載の流体吐出ポンプにおいて、
前記ノズルヘッドへの押圧力が解除された後、前記蛇腹部材はそれ自身の弾性力により、前記縮小姿勢から前記拡張姿勢に復帰する流体吐出ポンプ。
【請求項３】
請求項１に記載の流体吐出ポンプにおいて、
前記ノズルヘッドを上方向に付勢することにより、前記ノズルヘッドへの押圧力が解除された後、前記蛇腹部材を前記縮小姿勢から前記拡張姿勢に復帰させるバネを備えた流体吐出ポンプ。
【発明の詳細な説明】
【０００１】
【発明の属する技術分野】
この発明は、流体貯留部の上方に配設されたノズルヘッドを押圧することにより、前記流体貯留部内に貯留された流体を前記ノズルヘッドから吐出させるための流体吐出ポンプに関する。
【０００２】
【従来の技術】
このような流体吐出ポンプとしては、従来、液体を吐出するためのノズルヘッドと、液体を貯留する液体貯留部と、この液体貯留部の上方に配設されたシリンダと、ノズルヘッドを押圧することによりシリンダ内を往復移動可能なピストンと、液体貯留部に貯留された液体をピストンの上昇動作に伴ってシリンダ内に流入させるための流入弁機構と、シリンダ内に流入した液体をピストンの下降動作に伴ってノズルヘッドに流出させるための流出弁機構とを備えたものが使用されている。
【０００３】
【発明が解決しようとする課題】
このような従来の流体吐出ポンプにおいては、ピストンがシリンダ内をスムースに往復移動可能とする必要があることから、ピストンの外周面とシリンダの内周面を高精度に加工する必要があり、その製造コストが高価となるという問題がある。また、このような流体吐出ポンプにおいては、流入弁機構および流出弁機構を、簡易な構成でありながら確実に流入動作および流出動作を実行可能なものとする必要がある。
【０００４】
この発明は上記課題を解決するためになされたものであり、その製造コストが安価で簡易な構成でありながら、流体を正確に吐出可能な流体吐出ポンプを提供することを目的とする。
【０００５】
【課題を解決するための手段】
請求項１に記載の発明は、流体貯留部の上方に配設されたノズルヘッドを押圧することにより、前記流体貯留部内に貯留された流体を前記ノズルヘッドから吐出させるための流体吐出ポンプにおいて、蛇腹状の形状を有し、その内部に比較的大量の流体を収納する拡張姿勢と、その内部に比較的少量の流体を収納する縮小姿勢との間で変形可能な樹脂製の蛇腹部材と、流体流入用の開口部が形成された弁座部材と、環状の支持部と前記支持部と複数の連結部を介して接続された弁部とを有する弁部材とから構成され、前記蛇腹部材の下端に連結された樹脂製の流入弁機構と、流体流出用の開口部が形成された弁座部材と、環状の支持部と前記支持部と複数の連結部を介して接続された弁部とを有する弁部材とから構成され、前記蛇腹部材の上端に連結された樹脂製の流出弁機構と、前記ノズルヘッドに連結され、前記ノズルヘッドが押圧された際に、前記流出弁機構における弁部を弁座部材から離隔する方向に移動させる第１の押圧部と、前記ノズルヘッドに連結され、前記ノズルヘッドが押圧された際に、前記第１の押圧部が前記流出弁機構における弁部を弁座部材から離隔する方向に移動させた後に、前記蛇腹部材を、前記拡張姿勢から前記縮小姿勢となるように押圧する第２の押圧部とを備えたことを特徴とする。
【０００６】
請求項２に記載の発明は、請求項１に記載の発明において、前記ノズルヘッドへの押圧力が解除された後、前記蛇腹部材はそれ自身の弾性力により、前記縮小姿勢から前記拡張姿勢に復帰する。
【０００７】
請求項３に記載の発明は、請求項１に記載の発明において、前記ノズルヘッドを上方向に付勢することにより、前記ノズルヘッドへの押圧力が解除された後、前記蛇腹部材を前記縮小姿勢から前記拡張姿勢に復帰させるバネを備えている。
【０００８】
【発明の実施の形態】
以下、この発明の実施の形態を図面に基づいて説明する。図１は、この発明の第１実施形態に係る液体吐出ポンプ１を適用した液体容器の縦断面図であり、図２乃至図５はその要部を示す拡大図である。
【０００９】
なお、これらの図のうち、図１および図２は液体吐出ポンプ１に応力を付与することなく放置した状態を、また、図３はノズルヘッド２における第１の押圧部１１が流出弁機構５における弁部４６を押圧する状態を、また、図４はノズルヘッド２における第２の押圧部１２が蛇腹部材６を押圧することにより蛇腹部材６が拡張姿勢から縮小姿勢になりつつある状態を、さらに、図５はノズルヘッド２が開放されることにより蛇腹部材６が縮小姿勢から拡張姿勢になりつつある状態を示している。
【００１０】
この液体容器は、美容の分野で使用されるヘアージェルやクレンジングジェル等の一般にジェルと呼称されるゲル（ｇｅｌ）、または、栄養クリームやマッサージクリーム等のクリーム状物、あるいは、化粧水等の液体などを貯留するための化粧品用の容器として使用されるものである。なお、この液体容器を、一般の薬品や溶剤あるいは食品等の容器として使用してもよい。
【００１１】
この明細書においては、高粘度の液体や半流動体あるいはゾルがジェリー状に固化したゲルやクリーム状物等と通常の液体とを含めて液体と呼称する。但し、この発明は上述した液体を対象としたポンプに限定されるされるものではなく、気体を含む流体全体を対象とした流体吐出ポンプに適用しうるものである。
【００１２】
この液体容器は、流入弁機構４と流出弁機構５と蛇腹部材６とを有する液体吐出ポンプ１と、第１の押圧部１１と第２の押圧部１２と液体吐出部１３とを有するノズルヘッド２と、外蓋１４とシリンダ１５とピストン１６とを有しその内部に液体を貯留する液体貯留部３とから構成される。
【００１３】
ここで、ノズルヘッド２は、液体を吐出するための吐出部１３と、流出弁機構５における弁部４６を押圧する第１の押圧部１１と、筒状部材２０を介して蛇腹部材６を押圧する第２の押圧部１２とを備えている。
【００１４】
また、液体貯留部３は、外蓋１４と、円筒状のシリンダ１５と、このシリンダ１５内を上下方向に移動するピストン１６と、複数の通気孔１７が穿設された底蓋１８とを有している。この液体貯留部３におけるシリンダ１５は、液体吐出ポンプ１における支持部材１９とパッキング２１を介して液密な状態で接続されている。
【００１５】
この液体容器においては、ノズルヘッド２における頭部１０を押圧して上下方向に往復移動させることにより、液体吐出ポンプ１の作用で、液体貯留部３内に貯留された液体がノズルヘッド２における吐出部１３から吐出される。そして、液体貯留部４内の液体の減少に伴って、ピストン１６はシリンダ１５内をノズルヘッド２方向に移動する。
【００１６】
なお、この明細書においては、図１乃至図５における上下方向を液体容器における上下方向と規定する。すなわち、この実施形態に係る液体容器においては、図１に示すノズルヘッド２側を上方向とし、ピストン１６側を下方向とする。
【００１７】
次に、液体吐出ポンプ１の構成について説明する。
【００１８】
この液体吐出ポンプ１は、蛇腹部材６と、流入弁機構４と、流出弁機構５とを備える。
【００１９】
上記蛇腹部材６は、所定の弾性を有する樹脂を蛇腹状の形状に成型してなるものである。この蛇腹部材６は、図１乃至図３に示すような、その内部に比較的大量の流体を収納する拡張姿勢と、図４に示すような、その内部に比較的少量の流体を収納する縮小姿勢との間で変形可能となっている。この蛇腹部材６の下端部は、当該蛇腹部材６を取り囲むように配置された支持部材１９のネジ部と係合されている。一方、この蛇腹部材６の上端部は、筒状部材２０のネジ部と係合されている。
【００２０】
次に、上記流入弁機構４の構成について説明する。この流入弁機構４は、支持部材１９を介して蛇腹部材６の下端と連結されている。この流入弁機構４は、液体貯留部３から蛇腹部材６内への液体の通過を許容するとともに、蛇腹部材６から液体貯留部３への液体の逆流を禁止するためのものである。
【００２１】
図６は、この流入弁機構４の構成を示す説明図であり、図７はその動作を示す断面図である。なお、図６（ａ）は弁部材３１を平面視した状態を示し、図６（ｂ）は弁部材３１および弁座部材３２を組み立てる状態を示している。また、図６（ｂ）においては、弁部材３１はその側面を、また、弁座部材３２はその断面を示している。
【００２２】
これらの図に示すように、弁座部材３２は、上述した支持部材１９の下端部から構成され、その底部に弁座として機能する円形の開口部３３が形成された略筒状の形状を有する。この弁座部材３２の内面上方には、凹部３４が形成されている。
【００２３】
一方、弁部材３１は、弁座部材３２の内部に配置される環状の支持部３５と、弁座部材３２における円形の開口部３３と対応する形状を有する弁部３６と、支持部３５と弁部３６とを連結する４個の連結部３７とを有する。４個の連結部３７は、各々、一対の屈曲部３８を有する。この弁部材３１においては、４個の連結部３７の可撓性により、弁部３６が、当該弁部３６が弁座部材３２における開口部２３を閉鎖する閉鎖位置と開口部２３を開放する開放位置との間で移動可能に構成されている。
【００２４】
弁部材３１における支持部３５の外周面には凸部３９が形成されている。このため、この弁部材３１を弁座部材３２内に挿入した場合においては、図７に示すように、弁座部材３２における凹部３４と弁部材３１における凸部３９とが互いに係合し、弁部材３１は弁座部材３２内において固定される。なお、これらの弁部材３１および弁座部材３２の材質としては、例えば、ポリエチレンやポリプロピレン等の樹脂、シリコンゴム等の合成ゴム、あるいはこれらの混合物などを使用することができる。
【００２５】
このような構成を有する流入弁機構４において、図１乃至図４に示す蛇腹部材６の内部が減圧された場合には、図７（ｂ）に示すように、弁部材３１における弁部３６が弁座部材３２における開口部３３から離隔する離隔位置に移動する。これにより、流体が開口部３３を通過する。一方、蛇腹部材６の内部が減圧されていない場合には、図７（ａ）に示すように、４個の連結部３７の弾性復元力により、弁部材３１における弁部３６が弁座部材３２における開口部３３を閉鎖する閉鎖位置に移動する。
【００２６】
この流入弁機構４においては、弁部材３１における支持部３５と弁部３６とは、４個の連結部３７により連結されている。このため、弁部３６に生じる不適切な傾きの発生を防止することが可能となる。なお、弁部３６に生じる不適切な傾きの発生を有効に防止するためには、連結部３７は３個以上とすることが好ましく、また、それらを均等に配置することが好ましい。
【００２７】
また、この流入弁機構４においては、弁部３６が閉鎖位置から開放位置に移動する際に、連結部３７は弁座部材３２の内壁と当接する方向に移動する。このため、弁部３６に不適切な傾きが発生した場合には、連結部３７が弁座部材３２の内壁と当接することになる。従って、弁部３６がそれ以上傾斜することはない。
【００２８】
さらに、この流入弁機構４においては、支持部３５と弁部３６とを連結する４個の連結部３７は、各々、一対の屈曲部３８を有している。このため、各連結部３７が適当な弾性を持つことになり、弁部３６が閉鎖位置と開放位置との間をスムースに往復移動することが可能となる。なお、この連結部３７の厚みは、１ｍｍ以下とすることが好ましく、０．３ｍｍ〜０．５ｍｍとすることがより好ましい。
【００２９】
次に、上記流出弁機構５の構成について説明する。この流入弁機構４は、筒状部材２０を介して蛇腹部材６の上端と連結されている。この流出弁機構５は、蛇腹部材６からノズルヘッド２の吐出部１３への液体の通過を許容するとともに、吐出部１３から蛇腹部材６への液体の逆流を禁止するためのものである。
【００３０】
図８および図９はこの流出弁機構５の動作を示す説明図であり、図１０はその弁部材４１の概要図である。
【００３１】
この流出弁機構５は、筒状部材２０の内周面に形成された中央に円形の開口部を有する弁座部材４２と、弁部材４１とから構成される。
【００３２】
弁部材４１は、図１０（ａ）にその平面を、また、図１０（ｂ）にその側面を示すように、筒状部材２０の内部に配置される環状の支持部４５と、弁座部材４２における円形の開口部と対応する形状を有する弁部４６と、支持部４５と弁部４６とを連結する４個の連結部４７とを有する。この弁部材４１においては、４個の連結部４７の可撓性により、弁部４６が、当該弁部４６が弁座部材４２における開口部を閉鎖する閉鎖位置と開口部を開放する開放位置との間で移動可能に構成されている。
【００３３】
弁部材４１における支持部４５の外周面には凸部４９が形成されている。このため、この弁部材４１を筒状部材２０内に挿入した場合においては、図８および図９に示すように、筒状部材２０における凹部４９と弁部材４１における凸部とが互いに係合し、弁部材４１は筒状部材２０内において固定される。なお、これらの弁部材４１および筒状部材２０の材質としては、例えば、ポリエチレンやポリプロピレン等の樹脂、シリコンゴム等の合成ゴム、あるいはこれらの混合物などを使用することができる。
【００３４】
このような構成を有する流出弁機構５において、図８に示すように弁部材４１が第１の押圧部１１により押圧されていない状態では、４個の連結部４７の弾性復元力により、弁部材４１における弁部４６が弁座部材４２における開口部を閉鎖する閉鎖位置に配置される。一方、図９に示すように、弁部材４１における弁部４６が第１の押圧部１１により押圧された場合には、弁部材４１における弁部４６が弁座部材４２における開口部から離隔する離隔位置に移動し、流体が開口部を通過する。
【００３５】
この流出弁機構５においても、弁部材４１における支持部４５と弁部４６とは、４個の連結部４７により連結されている。このため、弁部４６に生じる不適切な傾きの発生を防止することが可能となる。なお、弁部４６に生じる不適切な傾きの発生を有効に防止するためには、連結部４７は３個以上とすることが好ましく、また、それらを均等に配置することが好ましい。
【００３６】
なお、この流出弁機構５における弁部材４１としては、外気等の逆流を防止するため、流入弁機構４における弁部材３１よりも剛性が高い（離隔位置に移動しにくい）ものを使用する必要がある。
【００３７】
図１１は、上述した第１の押圧部１１付近を拡大して示す斜視図である。
【００３８】
この第１の押圧部１１は、ノズルヘッド２における吐出部１３と連結した連結筒２８の下端部に配設されている。この第１の押圧部１１には、連結筒２８の内部と連通する４個の液体通過溝２９が形成されている。なお、連結筒２８の外周部には、パッキング２７が付設されている。
【００３９】
次に、上述した液体吐出ポンプ１を備えた液体吐出容器による液体の吐出動作について説明する。
【００４０】
初期状態においては、図１および図２に示すように、蛇腹部材６の弾性力により、蛇腹部材６は拡張姿勢となっている。この状態においては、蛇腹部材６の内部には比較的大量の液体が収納されている。
【００４１】
この状態においてノズルヘッド２における頭部１０が押圧された場合には、最初に、図３に示すように、第１の押圧部１１により弁部材４１の弁部４６が押圧され、弁部４６が弁座部材４２における開口部から離隔する離隔位置に移動する。これにより、蛇腹部材６の内部からノズルヘッド２における吐出部１３に至る流路が形成される。
【００４２】
この状態においてノズルヘッド２における頭部１０がさらに押圧されると、ノズルヘッド２における第２の押圧部１２が筒状部材２０の外周に形成された凸部３０と当接し、筒状部材２０は第２の押圧部１２とともに下降する。これにより、図４に示すように、蛇腹部材６は、拡張姿勢から縮小姿勢に変形を開始する。これにより、蛇腹状部材６の内部の液体が加圧され、この液体は弁座部材４２の開口部および第１の押圧部１１の液体通過溝２９および連結筒２８を介して吐出部１３に流出し、この吐出部１３から吐出される。
【００４３】
蛇腹部材６が縮小姿勢となった後、ノズルヘッド２に付与された押圧力が解除されれば、第１の押圧部１１が流出弁機構５の弁部材４１による復元力で押圧され、ノズルヘッド２が上昇する。このため、図５および図８に示すように、弁部材４１における弁部４６が弁座部材４２における開口部と当接し、蛇腹部材６の内部からノズルヘッド２における吐出部１３に至る流路が閉鎖される。
【００４４】
また、蛇腹部材６による復元力により、ノズルヘッド２が筒状部材２０とともにさらに上昇する。この状態においては、蛇腹部材６の内部が減圧されることになることから、図７（ｂ）に示すように、弁部材３１における弁部３６が弁座部材３２における開口部３３から離隔する離隔位置に移動する。このため、図５において矢印で示すように、液体貯留部３から蛇腹部材６内に液体が流入する。そして、蛇腹部材６が拡張姿勢に復帰すれば、図２に示す初期状態となる。
【００４５】
以上の動作を繰り返すことにより、液体貯留部４に貯留された液体をノズルヘッド２から吐出せしめることが可能となる。
【００４６】
なお、上述した実施形態においては、流入弁機構４と流出弁機構５とで互いに異なる弁部材３１、４１を使用しているが、流入弁機構４と流出弁機構５とで共通の弁部材を使用するようにしてもよい。
【００４７】
また、上述した実施形態においては、蛇腹部材６自身の弾性力を利用して蛇腹部材６を縮小姿勢から拡張姿勢に復帰させていが、他の付勢手段の付勢力を利用するようにしてもよい。
【００４８】
図１２はこのような変形例に係る液体吐出ポンプ１を適用した液体容器の要部を示す拡大図である。
【００４９】
この液体吐出ポンプ１においては、ノズルヘッド２に形成された溝部から筒状部材２０の外周部に至る位置には、ノズルヘッド２を上方向に付勢することにより、ノズルヘッド２への押圧力が解除された後に蛇腹部材６を縮小姿勢から拡張姿勢に復帰させるためのバネ２６が配設されている。この用の構成を採用することにより、液体の粘性が高い場合等においても、蛇腹部材６を速やかに拡張姿勢に復帰させることが可能となる。
【００５０】
次に、この発明の他の実施形態について説明する。この発明の第２実施形態に係る液体吐出ポンプ１を適用した液体容器の要部を示す拡大図である。なお、上述した第１実施形態と同様の部材については、同一の符号を付して詳細な説明を省略する。
【００５１】
先ず、第２実施形態に係る流入弁機構４の構成について説明する。この流入弁機構４は、蛇腹部材６の下端と連結されている。この流入弁機構４は、第１実施形態の場合と同様、液体貯留部３から蛇腹部材６内への液体の通過を許容するとともに、蛇腹部材６から液体貯留部３への液体の逆流を禁止するためのものである。この流入弁機構４は、液体流入用の開口部５７を備えた樹脂製の弁座部材５４と、弁部材６０とから構成される。
【００５２】
図１７は、この弁部材６０の構成を示す説明図である。なお、図１７（ａ）は弁体の縦断面を、また、図１７（ｂ）は弁体の平面を示している。
【００５３】
これらの図に示すように、弁部材６０は、環状の支持部６１と、この支持部６１の略中央に配置された弁部６２と、支持部６１と弁部６２とを連結する４個の連結部６３とを備える。この弁部材６０における弁部６２の外径は、支持部６１の内径より小さく、かつ、図１３乃至図１６に示す弁座部材５４に形成された開口部５７の内径より大きくなっている。また、この弁部６２自体は、弁座部材５４における開口部５７方向を向く凸形状を有する。このため、この弁部６２は、開口部５７と当接することにより、開口部５７を閉止可能となっている
【００５４】
なお、図１７（ａ）に示すように、弁部材６０における弁部６２は、弁座部材５４における開口部５７方向と、弁座部材５４における開口部５７とは逆方向の両方向に対して凸形状となっている。すなわち、この弁部６２は、面対称の形状を有する。このため、この弁部材６０を使用した弁機構の組立時に、その組み立て作業が容易となる。
【００５５】
この弁部材６０は、弾性を有する樹脂より構成されている。このような弾性を有する樹脂としては、例えば、ポリエチレンやポリプロピレン等の樹脂、シリコンゴム等の合成ゴム、あるいはこれらの混合物などを使用することができる。
【００５６】
このような構成を有する流入弁機構４において、図１３乃至図１６に示す蛇腹部材６の内部が減圧された場合には、弁部材６０における弁部６２が弁座部材５４における開口部５７から離隔する離隔位置に移動する。これにより、流体が開口部５７を通過する。一方、蛇腹部材６の内部が減圧されていない場合には、４個の連結部６３の弾性復元力により、弁部材６０における弁部６２が弁座部材５４における開口部５７を閉鎖する閉鎖位置に移動する。
【００５７】
次に、上記流出弁機構５の構成について説明する。この流出弁機構５は、蛇腹部材６の上端と連結されている。この流出弁機構５は、第１実施形態と同様、蛇腹部材６からノズルヘッド２の吐出部１３への液体の通過を許容するとともに、吐出部１３から蛇腹部材６への液体の逆流を禁止するためのものである。この流出弁機構は、液体流出用の開口部５６を備えた樹脂製の弁座部材５３と、図１７に示す流入弁機構４と同様の弁部材６０とから構成されている。
【００５８】
但し、この流出弁機構５における弁部材６０としては、外気等の逆流を防止するため、流入弁機構４における弁部材６０よりも剛性が高い（離隔位置に移動しにくい）ものを使用する必要がある。
【００５９】
なお、この実施形態においては、ノズルヘッド２は中空状となっており、この中空部には第１実施形態における第１の押圧部１１に相当する第１の押圧部５１が配設されている。また、ノズルヘッド２と弁座部材５３との間には、第２の蛇腹部材５５が配設されている。
【００６０】
このような構成を有する流出弁機構５において、図１３に示すように弁部材６０が第１の押圧部５１により押圧されていない状態では、４個の連結部６３の弾性復元力により、弁部材６０における弁部６２が弁座部材５３における開口部５６を閉鎖する閉鎖位置に配置される。一方、図１４に示すように、弁部材６０における弁部６２が第１の押圧部５１により押圧された場合には、弁部材６０における弁部６２が弁座部材５３における開口部５６から離隔する離隔位置に移動し、流体が開口部５６を通過する。
【００６１】
次に、第２実施形態に係る液体吐出ポンプ１を備えた液体吐出容器による液体の吐出動作について説明する。
【００６２】
初期状態においては、図１３に示すように、蛇腹部材６の弾性力により、蛇腹部材６は拡張姿勢となっている。この状態においては、蛇腹部材６の内部には比較的大量の液体が収納されている。
【００６３】
この状態においてノズルヘッド２における頭部１０が押圧された場合には、最初に、図１４に示すように、第１の押圧部５１により弁部材６０の弁部６２が押圧され、弁部６２が弁座部材５３における開口部５６から離隔する離隔位置に移動する。これにより、蛇腹部材６の内部からノズルヘッド２における吐出部１３に至る流路が形成される。
【００６４】
この状態においてノズルヘッド２における頭部１０がさらに押圧されると、ノズルヘッド２における第２の押圧部５２が蛇腹部材６の上端と当接し、蛇腹部材６の上端は第２の押圧部５２とともに下降する。これにより、図１５に示すように、蛇腹部材６は、拡張姿勢から縮小姿勢に変形を開始する。これにより、蛇腹状部材６の内部の液体が加圧され、この液体は弁座部材５３の開口部５６を介して吐出部１３に流出し、この吐出部１３から吐出される。
【００６５】
蛇腹部材６が縮小姿勢となった後、ノズルヘッド２に付与された押圧力が解除されれば、ノズルヘッド２が第２の蛇腹部材５５による復元力で押圧され、ノズルヘッド２が上昇する。このため、図１６に示すように、弁部弁部材６０における弁部６２が弁座部材５３における開口部５６と当接し、蛇腹部材６の内部からノズルヘッド２における吐出部１３に至る流路が閉鎖される。
【００６６】
また、蛇腹部材６による復元力により、ノズルヘッド２がさらに上昇する。この状態においては、蛇腹部材６の内部が減圧されることになることから、図１６に示すように、弁部材６０における弁部６２が弁座部材５４における開口部５７から離隔する離隔位置に移動する。このため、図１６において矢印で示すように、液体貯留部３から蛇腹部材６内に液体が流入する。そして、蛇腹部材６が拡張姿勢に復帰すれば、図１３に示す初期状態となる。
【００６７】
以上の動作を繰り返すことにより、液体貯留部４に貯留された液体をノズルヘッド２から吐出せしめることが可能となる。
【００６８】
なお、上述した実施形態においては、蛇腹部材６自身の弾性力を利用して蛇腹部材６を縮小姿勢から拡張姿勢に復帰させていが、この実施形態の場合においても、図１２に示す実施形態の場合と同様、バネ等の付勢力を利用するようにしてもよい。
【００６９】
【発明の効果】
請求項１に記載の発明によれば、蛇腹状の形状を有しその内部に比較的大量の流体を収納する拡張姿勢とその内部に比較的少量の流体を収納する縮小姿勢との間で変形可能な樹脂製の蛇腹部材を使用することから、ピストン等を使用した場合に比べ、その製造コストを安価なものとすることができ、また、液漏れの発生を確実に防止することが可能となる。
【００７０】
また、弁座部材と、環状の支持部と支持部と複数の連結部を介して接続された弁部とを有する弁部材とから構成される流入弁機構および流出弁機構を使用することから、簡易かつ安価な構成でありながら、確実に流入動作および流出動作を実行して流体を正確に吐出されることが可能となる。
【００７１】
請求項２に記載の発明によれば、ノズルヘッドへの押圧力が解除された後、蛇腹部材はそれ自身の弾性力により縮小姿勢から拡張姿勢に復帰することから、装置の構成を簡易なものにすることが可能となる。
【００７２】
請求項３に記載の発明によれば、ノズルヘッドを上方向に付勢することにより、ノズルヘッドへの押圧力が解除された後、蛇腹部材を縮小姿勢から拡張姿勢に復帰させるバネを備えたことから、粘度が大きい液体を使用する場合等においても、蛇腹部材を速やかに拡張姿勢に復帰させることが可能となる。
【図面の簡単な説明】
【図１】この発明の第１実施形態に係る液体吐出ポンプ１を適用した液体容器の縦断面図である。
【図２】この発明の第１実施形態に係る液体吐出ポンプ１を適用した液体容器の要部を示す拡大図である。
【図３】この発明の第１実施形態に係る液体吐出ポンプ１を適用した液体容器の要部を示す拡大図である。
【図４】この発明の第１実施形態に係る液体吐出ポンプ１を適用した液体容器の要部を示す拡大図である。
【図５】この発明の第１実施形態に係る液体吐出ポンプ１を適用した液体容器の要部を示す拡大図である。
【図６】流入弁機構４の構成を示す説明図である。
【図７】流入弁機構４の動作を示す断面図である。
【図８】流出弁機構５の動作を示す説明図である。
【図９】流出弁機構５の動作を示す説明図である。
【図１０】弁部材４１の概要図である。
【図１１】第１の押圧部１１付近を拡大して示す斜視図である。
【図１２】第１実施形態の変形例に係る液体吐出ポンプ１を適用した液体容器の要部を示す拡大図である。
【図１３】この発明の第２実施形態に係る液体吐出ポンプ１を適用した液体容器の要部を示す拡大図である。
【図１４】この発明の第２実施形態に係る液体吐出ポンプ１を適用した液体容器の要部を示す拡大図である。
【図１５】この発明の第２実施形態に係る液体吐出ポンプ１を適用した液体容器の要部を示す拡大図である。
【図１６】この発明の第２実施形態に係る液体吐出ポンプ１を適用した液体容器の要部を示す拡大図である。
【図１７】弁部材６０の構成を示す説明図である。
【符号の説明】
１　　　液体吐出ポンプ
２　　　ノズルヘッド
３　　　液体貯留部
４　　　流入弁機構
５　　　流出弁機構
６　　　蛇腹部材
１１　　第１の押圧部
１２　　第２の押圧部
１３　　液体吐出部
１５　　シリンダ
１６　　ピストン
１９　　支持部材
２０　　筒状部材
２６　　バネ
２９　　液体通過溝
３１　　弁部材
３２　　弁座部材
３３　　開口部
３４　　凹部
３５　　支持部
３６　　弁部
３７　　連結部
３８　　屈曲部
３９　　凸部
４１　　弁部材
４２　　弁座部材
４５　　支持部
４６　　弁部
４７　　連結部
５１　　第１の押圧部
５２　　第２の押圧部
５３　　弁座部材
５４　　弁座部材
５５　　第２の蛇腹部材
５６　　開口部
５７　　開口部
６０　　弁体
６１　　支持部
６２　　弁部
６３　　連結部
【図１】
2004051201.tif 000003
【図２】
2004051201.tif 000004
【図３】
2004051201.tif 000005
【図４】
2004051201.tif 000006
【図５】
2004051201.tif 000007
【図６】
2004051201.tif 000008
【図７】
2004051201.tif 000009
【図８】
2004051201.tif 000010
【図９】
2004051201.tif 000011
【図１０】
2004051201.tif 000012
【図１１】
2004051201.tif 000013
【図１２】
2004051201.tif 000014
【図１３】
2004051201.tif 000015
【図１４】
2004051201.tif 000016
【図１５】
2004051201.tif 000017
【図１６】
2004051201.tif 000018
【図１７】
2004051201.tif 000019